(57)【特許請求の範囲】
【請求項１】
面内方向に対向した２つの第１の枠材と、面内方向に対向した２つの第２の枠材を方形状に連結した枠体と、前記２つの第１の枠材にそれぞれ取り付けたアタッチメントと、該アタッチメント間に亘って取り付けた格子と、該格子に長手方向に間隔を置いて取り付けた２つの第１パネル支持材と、前記２つの第２の枠材における少なくとも前記２つの第１パネル支持材間に取り付けた２つの第２パネル支持材と、前記第１・第２パネル支持材間に亘って取り付けたパネルを備え、
前記パネルの面内方向に対向した２つの第１の端縁は、前記２つの第１パネル支持材で支持され、
前記パネルの面内方向に対向した２つの第２の端縁は、前記２つの第２パネル支持材で支持されていることを特徴とする建具体。
【請求項２】
前記各第１・第２パネル支持材は面内方向内側に向けて開口したパネル支持用の溝を有し、
前記２つの第２パネル支持材は第２の枠材の面内方向内側面に、その長手方向全長に連続して取り付けられ、
前記２つの第１パネル支持材は、その長手方向両端部が、前記２つの第２パネル支持材にそれぞれ連結され、各第１・第２パネル支持材によって方形状で、かつ各溝が四周連続したパネル支持用枠体を形成し、
前記パネルの第１の端縁、第２の端縁の長手方向全長が前記各溝に挿入されて支持してある請求項１記載の建具体。
【請求項３】
前記格子は枠体の面外方向略中央部に位置し、この格子の面外方向一側面に第１パネル支持材を取り付けることで、パネルが枠体の面外方向一側寄りに位置するようにした請求項１又は２記載の建具体。
【請求項４】
前記２つの第１の枠材及び２つの第２の枠材は、面内方向内側面の面外方向略中央部に開口した凹部を有し、枠体は四周連続した凹部を有する構成とし、
前記アタッチメントは、第１の枠材の面内方向内側面と対向した本体と、この本体の面内方向外側面に設けた突部を有し、当該アタッチメントは、第１の枠材に、その突部が第１の枠材の開口部に嵌め合うと共に、本体で開口部を閉塞して取り付けられ、
前記第１パネル支持材は、面内方向内側に向けて開口したパネル支持用の溝を有し、かつ前記格子の面外方向一側面に取り付けられ、
前記第２パネル支持材は、第２の枠材の面内方向と対向した本体と、この本体の面内方向外側面に設けた突部と、前記本体の突部よりも面外方向一側寄りに設けた面内方向内側に向けて開口したパネル支持用の溝を有し、
この第２パネル支持材は第２の枠材に、その突部が第２の枠材の開口部に嵌め合うと共に、本体で開口部を閉塞し、かつ当該溝と前記第１パネル支持材の溝が面外方向に同一位置として取り付け、
前記パネルの第１の端縁を第１パネル支持材の溝に挿入して支持し、第２の端縁を第２パネル支持材の溝に挿入して支持した請求項１記載の建具体。
【請求項５】
建具枠体に建具体を面内方向に移動自在に設けた建具であって、
前記建具体は、上框と下框と一方の縦框と他方の縦框を方形状に連結した枠体と、前記上框、下框の面内方向内側面に取り付けたアタッチメントと、該アタッチメント間に亘って枠体の面内方向略中央部となるように取り付けた格子と、該格子の面外方向一側面に長手方向に間隔を置いて取り付けた２つの第１パネル支持材と、前記一方、他方の縦框の面内方向内側面に取り付けた２つの第２パネル支持材と、前記第１・第２パネル支持材間に亘って枠体の面外方向中央部よりも面外方向一側寄りとなるように取り付けたパネルを備え、
前記パネルの上端縁、下端縁は前記２つの第１パネル支持材で支持され、
前記パネルの一方の縦縁、他方の縦縁は前記２つの第２パネル支持材で支持されていることを特徴とする建具。
【発明の詳細な説明】
【技術分野】
【０００１】
本発明は、格子とパネルを備えた建具体及びその建具体を用いた建具に関する。
【背景技術】
【０００２】
従来、格子とパネルを備えた建具体は種々提案されている。
例えば、特許文献１に開示したように、上下、左右の枠材を方形状に連結した枠体とし、この各枠材にアタッチメントをそれぞれ設け、そのアタッチメントにパネル（ガラス）と格子を取り付け、枠体の開口全面に格子とパネルを備えた建具体が提案されている。
【先行技術文献】
【特許文献】
【０００３】
【特許文献１】特許第３７９７２３０号公報
【発明の概要】
【発明が解決しようとする課題】
【０００４】
前述した従来の建具体は、枠体の開口全面に格子とパネルが取り付けてあるので、玄関ドアのドアや玄関引戸の障子として好適である。
一方、間仕切りや、エントランス空間の目隠し用内開き戸、引込み戸の障子は、目隠し機能だけではなく、通風機能が要求されることがある。
しかし、前述した従来の建具体は、枠体の各枠材に取り付けたアタッチメントでパネルの四周を支持する構成であるので、枠体の開口の一部分にのみパネルを取り付けできないから、通風機能を有した建具体とすることができない。
【０００５】
本発明の目的は、格子とパネルを備え、目隠し機能を有すると共に、枠体の開口の一部分にのみパネルを取り付けて通風機能を有するようにした建具体及び、その建具体を用いた建具とすることである。
【課題を解決するための手段】
【０００６】
本発明の建具体は、面内方向に対向した２つの第１の枠材と、面内方向に対向した２つの第２の枠材を方形状に連結した枠体と、前記２つの第１の枠材にそれぞれ取り付けたアタッチメントと、該アタッチメント間に亘って取り付けた格子と、該格子に長手方向に間隔を置いて取り付けた２つの第１パネル支持材と、前記２つの第２の枠材における少なくとも前記２つの第１パネル支持材間に取り付けた２つの第２パネル支持材と、前記第１・第２パネル支持材間に亘って取り付けたパネルを備え、
前記パネルの面内方向に対向した２つの第１の端縁は、前記２つの第１パネル支持材で支持され、
前記パネルの面内方向に対向した２つの第２の端縁は、前記２つの第２パネル支持材で支持されていることを特徴とする建具体である。
【０００７】
本発明の建具体は、前記各第１・第２パネル支持材は面内方向内側に向けて開口したパネル支持用の溝を有し、
前記２つの第２パネル支持材は第２の枠材の面内方向内側面に、その長手方向全長に連続して取り付けられ、
前記２つの第１パネル支持材は、その長手方向両端部が、前記２つの第２パネル支持材にそれぞれ連結され、各第１・第２パネル支持材によって方形状で、かつ各溝が四周連続したパネル支持用枠体を形成し、
前記パネルの第１の端縁、第２の端縁の長手方向全長が前記各溝に挿入されて支持してある建具体とすることができる。
このようにすれば、パネルの周縁の全長を支持しているので、パネルを、強風などで振れ動くことがないようにしっかりと取り付けできる。
しかも、第２の枠材の面内方向内側面の全長に第２パネル支持材が取り付けてあるから、第２の枠材の見栄えが良い。
【０００８】
本発明の建具体は、前記格子は枠体の面外方向略中央部に位置し、この格子の面外方向一側面に第１パネル支持材を取り付けることで、パネルが枠体の面外方向一側寄りに位置するようにした建具体とすることができる。
このようにすれば、枠体の面外方向一側面とパネルとの間に大きな段差がなく、建具体を面外方向一側から見たときにほぼ平坦に見えるから、見栄えが良い。
【０００９】
本発明の建具体は、前記２つの第１の枠材及び２つの第２の枠材は、面内方向内側面の面外方向略中央部に開口した凹部を有し、枠体は四周連続した凹部を有する構成とし、
前記アタッチメントは、第１の枠材の面内方向内側面と対向した本体と、この本体の面内方向外側面に設けた突部を有し、当該アタッチメントは、第１の枠材に、その突部が第１の枠材の開口部に嵌め合うと共に、本体で開口部を閉塞して取り付けられ、
前記第１パネル支持材は、面内方向内側に向けて開口したパネル支持用の溝を有し、かつ前記格子の面外方向一側面に取り付けられ、
前記第２パネル支持材は、第２の枠材の面内方向内側面と対向した本体と、この本体の面内方向外側面に設けた突部と、前記本体の突部よりも面外方向一側寄りに設けた面内方向内側に向けて開口したパネル支持用の溝を有し、
この第２パネル支持材は第２の枠材に、その突部が第２の枠材の開口部に嵌め合うと共に、本体で開口部を閉塞し、かつ当該溝と前記第１パネル支持材の溝が面外方向に同一位置として取り付け、
前記パネルの第１の端縁を第１パネル支持材の溝に挿入して支持し、第２の端縁を第２パネル支持材の溝に挿入して支持した建具体とすることができる。
このようにすれば、パネルの周縁を第１・第２パネル支持材の溝に挿入して支持していることで、そのパネルをしっかりと取り付けできる。
また、枠体の四周連続した凹部にガラスを取り付けてガラス障子とすることができ、この枠体は本発明の建具体の枠体とガラス障子の枠体に兼用できる。
【００１０】
本発明の建具は、建具枠体に建具体を面内方向に移動自在に設けた建具であって、
前記建具体は、上框と下框と一方の縦框と他方の縦框を方形状に連結した枠体と、前記上框、下框の面内方向内側面に取り付けたアタッチメントと、該アタッチメント間に亘って枠体の面内方向略中央部となるように取り付けた格子と、該格子の面外方向一側面に長手方向に間隔を置いて取り付けた２つの第１パネル支持材と、前記一方、他方の縦框の面内方向内側面に取り付けた２つの第２パネル支持材と、前記第１・第２パネル支持材間に亘って枠体の面外方向中央部よりも面外方向一側寄りとなるように取り付けたパネルを備え、
前記パネルの上端縁、下端縁は前記２つの第１パネル支持材で支持され、
前記パネルの一方の縦縁、他方の縦縁は前記２つの第２パネル支持材で支持されていることを特徴とする建具である。
【発明の効果】
【００１１】
本発明の建具体によれば、格子とパネルを備えているから、目隠し機能を有する。
しかも、パネルの２つの第１の端縁は、格子に長手方向に間隔を置いて取り付けた２つの第１パネル支持材で支持されているので、そのパネルの第１の端縁と枠体の第１の枠材との間に開口部を形成して通風機能を有するようにできる。
また、第１の枠材は格子の取り付けに制約されずに任意の形状の第１の枠材を用いることができる。
また、第２の枠材はパネルの取り付けに制約されずに任意の形状の第２の枠材を用いることができる。
【００１２】
本発明の建具によれば、目隠し機能と通風機能を有する。
しかも、建具体のパネルは、枠体の面外方向中央部よりも面外方向一側寄りで、格子は枠体の面外方向略中央部に位置しているから、枠体の面外方向他側面と格子との間の面外方向の寸法が大きく、格子に手の指を掛けて開閉する際に、人の指が格子と、当該建具体とは別の他の部材との間にはさまれることがない。
さらに、パネルによって建具体の面外方向に人の指が貫通しないようにできるから、建具体の開閉時に人の指が格子と、当該建具体とは別の他の部材との間にはさまれることがない。
【図面の簡単な説明】
【００１３】
【図１】本発明の実施の形態を示す建具としての２枚引き込み戸の正面図である。
【図２】図１の横断面図である。
【図３】図１のＡ−Ａ拡大詳細断面図である。
【図４】図１のＢ−Ｂ拡大詳細断面図である。
【図５】図１のＣ−Ｃ拡大詳細断面図である。
【図６】図１のＤ−Ｄ拡大詳細断面図である。
【発明を実施するための形態】
【００１４】
図１に示すように、建具枠体１は上枠１０と下枠１１と一方の縦枠１２と他方の縦枠１３で方形状である。
建具枠体１に、建具体としての第１障子２、第２障子３、第３障子４を設けて建具としての２枚引き込み戸としてある。
図２に示すように、第１障子２は建具枠体１の面外方向一側寄りに、建具枠体１の面内方向に移動自在に設けた可動障子である。
第２障子３は建具枠体１の面外方向中間に、枠体１の面内方向に移動自在に設けた可動障子である。
第３障子４は建具枠体１の面外方向他側寄りにおける面内方向一側寄りに、前記一方の縦枠１２に接するように固定した固定障子である。
【００１５】
第１障子２、第２障子３を面内方向に移動自在に設けるには、各障子上部に吊車を設け、その吊車を上枠１０のレールに沿って移動自在に吊り下げ支持し、第１障子２の下部と第２障子３の下部及び第２障子３の下部と第３障子４の下部をガイド溝とローラとで面内方向に移動自在で、かつ面外方向に離れないように連結する。
このようにした場合には、下枠１１を設けずに縦枠１２，１３を立設した基盤で、第１・第２障子２，３の下部が面外方向に振れ動くことがないように支承し、その基盤を下枠とすることができる。
また、第１・第２障子２，３の下部に設けた戸車を下枠１１のガイドレールに沿って回動自在とし、第１・第２障子２，３の上部を上枠１０で面内方向に摺動自在に支承するようにしても良い。
【００１６】
図２は閉じ状態を示し、第１障子２は他方の縦枠１３に接した閉じ位置で、第２障子３は第１障子２の面内方向一側部と第３障子４の面内方向他側部とに接した閉じ位置である。
図１に示す閉じ状態から第１障子２と第２障子３を面内方向一側方に移動して一方の縦枠１２側に移動することで、第１障子２、第２障子３は、第３障子４の面外方向一側方に重なり合うように引き込まれて開放状態となる。
【００１７】
本発明の建具は、前述の２枚引き込み戸に限ることはなく、可動障子を１つとした引き込み戸、可動障子を３つ以上とした引き込み戸でも良いし、固定障子を有しない引き戸、引き違い戸でも良い。つまり、建具体である障子を面内方向に移動自在とした建具であれば良い。
また、建具体を建具枠体にヒンジなどで面外方向に回動自在に取り付けたドア、開き窓、すべり出し窓などの建具体が面外方向に開閉する開き建具としても良い。
【００１８】
第１障子２、第２障子３、第３障子４は、図１に示すように、枠体２０を備えている。この枠体２０は、面内方向に対向した２つの第１の枠材であると上框２１、下框２２と、面内方向に対向した２つの第２の枠材となる一方の縦框２３、他方の縦框２４を方形状に連結してある。
この枠体２０に格子５とパネル６を取り付けてある。
その格子５は、上框２１、下框２２の面内方向内側面に、その長手方向全長に亘ってそれぞれ取り付けたアタッチメント３０間に亘って取り付けてある。
パネル６は、格子５に長手方向に間隔を置いて取り付けた２つの第１パネル支持材４０と、一方の縦框２３と他方の縦框２４の面内方向内側面に、その長手方向全長に亘ってそれぞれ取り付けた２つの第２パネル支持材５０との間に亘って取り付けられ、そのパネル６の面内方向に対向した２つの第１の端縁となる上下の端縁は２つの第１パネル支持材４０で支持され、面内方向に対向した２つの第２の端縁となる左右の端縁は２つの第２パネル支持材５０で支持されている。
格子５の長手方向中間部に取り付けた第１パネル支持材４０は格子５の強度を担保する役目も果たす。
【００１９】
上框２１と一方の第１パネル支持材４０は面内方向に離隔し、枠体２０におけるその上框２１と一方のパネル支持材４０との間にはパネル６が存在せずに、面外方向一側と他側に連通した開口部２０ａを有している。
図１に示すように、格子５の上框２１寄りにも第１パネル支持材４０が取り付けてあるが、これはパネル６を取り付けるためではなく、第２パネル支持材５０を保持すると共に、格子５の取付作業をやり易くするためである。
なお、図１においては第１障子２にのみ前述した各部材の符号をつけ、第２・第３障子３，４は第１障子２と同様であるので、主な部材の符号のみをつけてある。
【００２０】
このようであるから、第１・第２・第３障子２，３，４は、格子５とパネル６を備えているから、目隠し機能と防犯機能を有する。
例えば、第１障子２の他方の縦枠２４と他方の縦枠１３とに亘って錠を取り付けて第１障子２を面外方向他側から施錠、解錠できるようにした場合に、パネル６により錠を面外方向一側から解錠できないようにできるので、防犯機能を有する。
しかも、枠体２０の上框２１と一方の第１パネル支持材４０との間には開口部２０ａを有しているので、通風機能を有する。
また、格子５は上框２１、下框２２に取り付けたアタッチメント３０に取り付けてあるので、その上框２１、下框２２は格子５を取り付けできる形状に限ることはなく、格子５の取り付けに制約されずに任意な形状の上框２１、下框２２を用いることができる。
また、パネル６の第２端縁は縦框２３，２４に設けた第２パネル支持材５０で支持されているから、縦框２３，２４はパネル６の端縁を支持できる形状に限ることはなく、パネル６の取り付けに制約されずに任意な形状の縦框２３，２４を用いることができる。
【００２１】
図３に示すように、第１障子２の上框２１は、面内方向内側面２１ａ（下面）に開口した凹部２５を有し、その凹部２５の開口部２５ａは上框２１（枠体２０）の面外方向の中央部に位置している。
第１障子２の下框２２は、面内方向内側面２２ａ（上面）に開口した凹部２６を有し、その凹部２６の開口部２６ａは下框２２（枠体２０）の面外方向の中央部に位置している。
上框２１、下框２２に設けられるアタッチメント３０は、上框２１、下框２２の面内方向内側面２１ａ，２２ａと対向した本体３１と、この本体３１の面内方向外側面に設けられ前記開口部２５ａ，２６ａに嵌まり込む突部３２を有している。
この本体３１は上框２１、下框２２の面外方向寸法（見込み寸法）よりも幅広い板状で、この本体３１の面外方向中央部に突部３２が設けてある。この突部３２は面外方向に離隔した一対の突片３２ａとしてある。
そして、アタッチメント３０は、その突部３２が開口部２５ａ，２６ａに嵌まり込むことで本体３１が面内方向内側面２１ａ，２２ａと対向して開口部２５ａ，２６ａを閉塞するように設けられ、アタッチメント３０は突部３２で上框２１、下框２２に面外方向に動かないように支持される。
【００２２】
図１に示すように、格子５は、一方の縦框２３と他方の縦框２４との間の全域（つまり、枠体２０の開口全域）に亘って、面内方向に間隔を置いて配設した複数の格子体５ａを有し、各格子体５ａの長手方向両端部が上框２１、下框２２に設けたアタッチメント３０の面内方向内側面に固着されている。
この格子体５ａの面内方向寸法（見付け寸法）と格子体５ａの間隔はほぼ同一、好ましくは同一としてある。
これによって、面外方向一側から面外方向他側を見たときに、格子５が邪魔になり、目隠し機能を有する。
格子体５ａの間隔は格子体５ａの面内方向寸法よりも大きくとも、小さくとも良い。
また、格子体５ａの面内方向の複数の間隔が全て同じでも良いし、異なるようにしても良い。例えば、面内方向一側から面内方向他側に向けて順次大きさの異なる間隔とする。
【００２３】
図３に示すように、格子体５ａの面外方向寸法（見込み寸法）は、上框２１、下框２２の面外方向寸法（見込み寸法）よりも小さい。例えば、ほぼ１／３である。
この格子体５ａはアタッチメント３０（本体３１）の面外方向の中央部に固着具、例えばビス５ｂで固着して取り付けられ、この格子体５ａは枠体２０の面外方向中央部に取り付けられる。
前記ビス５ｂは、突部３２（一対の突片３２ａ間）を通して本体３１の孔から格子体５ａのビスホールに螺合して固着され、そのビス５ｂの頭部は上框２１、下框２２の開口部２５ａ，２６ａを挿通する大きさである。
【００２４】
このようであるから、複数の格子体５ａをアタッチメント３０に取り付けた状態で、そのアタッチメント３０に上框２１、下框２２を取り付けできる。
また、格子５をアタッチメント３０に固着し、そのアタッチメント３０を上框２１、下框２２に前述のように取り付けることで、格子５を上框２１、下框２２に取り付けできるから、上框２１、下框２２は格子５の取り付けに制約されずに任意の形状の上框２１、下框２２を用いることができる。
【００２５】
例えば、図３に示すように、面内方向内側面２１ａ，２２ａに開口部２５ａ，２６ａを有し、その開口部２５ａ，２６ａを利用してガラスを取り付けるようにした上框２１、下框２２であると、その開口部２５ａ，２６ａのために格子体５ａを取り付けできないことがあるが、アタッチメント３０に格子体５ａを固着するようにすれば、前述した上框２１、下框２２に格子５を取り付けできる。
したがって、ガラスを装着したガラス障子に用いる上框、下框を利用して本発明の障子とすることができる。
【００２６】
図３に示すように、第１パネル支持材４０は格子５（格子体５ａ）の面外方向一側面５ｃに固着具、例えばビス４１で固着して取り付けてあるので、第１パネル支持材４０は上框２１、下框２２の面外方向中央部よりも面外方向一側寄りに位置している。
この第１パネル支持材４０は面内方向内側に向けて開口したパネル支持用の溝４２を有している。
格子５の長手方向中間に取り付けた第１パネル支持体４０は、溝４２が下向きとなっている。
格子５の下框２２寄りに取り付けた第１パネル支持体４０は、溝４２が上向きとなっている。
【００２７】
この第１パネル支持材４０は、面外方向一側の第１縦板４３と面外方向他側の第２縦板４４を端部連結片４５と中間連結片４６で一体的に連結し、溝４２と中空部４７を有した面外方向の寸法が小さく、面内方向の寸法が大きな断面矩形状である。
第１縦板４３には中空部４７に開口した開口部４８が形成され、この開口部４８からビス４１を第２縦板４４を通して格子５（格子体５ａ）に螺合して第１パネル支持材４０を固着して取り付けてある。
第１縦板４３の開口部４８にはキャップ４９が嵌合して着脱自在に取り付けてビス４１が見えないようにしている。
このようであるから、第１パネル支持材４０を格子５に見栄え良く、簡単に取り付けできる。
【００２８】
図４に示すように、一方の縦框２３と他方の縦框２４は面内方向内側面２３ａ，２４ａに開口した凹部２７，２８を有している。
この凹部２７，２８の開口部２７ａ，２８ａは枠体２０の面外方向中央部に位置し、上框２１、下框２２の凹部２５，２６の開口部２５ａ，２６ａと四周連続している。
このようであるから、各凹部２５，２６，２７，２８にガラスの四周縁を挿入して枠体２０にガラスに取り付けでき、この枠体２０はガラス障子と本発明の障子に兼用できる。
【００２９】
図４に示すように、第２パネル支持材５０は本体５１と、この本体５１の面外方向中央部に設けた突部５２と、本体５１の面外方向一側寄りに設けたパネル支持部５３を有している。
突部５２は本体５１の面内方向外側面５１ａに設けられ、面外方向一対の突片５２ａ，５２ａを有している。
パネル支持部５３は本体５１の面内方向内側面５１ｂに設けられ、面内方向の内側に開口したパネル支持用の溝５４を有している。
【００３０】
第２パネル支持材５０は一方の縦框２３、他方の縦框２４に、その突部５２を開口部２７ａ，２８ａにそれぞれ嵌合すると共に、本体５１の面内方向外側面５１ａを縦框２３，２４の面内方向内側面２３ａ，２４ａに接して取り付けてある。
この第２パネル支持材５０と第１パネル支持材４０は、その第１パネル支持材４０を第２パネル支持材５０の溝５４内に挿入し、本体５１から固着具、例えばビス５５を第１パネル支持材４０のビスホールに螺合して連結され、２つの第１パネル支持材４０と２つの第２パネル支持材５０は方形状のパネル取付用枠体を形成するように連結されている。
【００３１】
この２つの第２パネル支持材５０の溝５４と前述の２つの第１パネル支持材４０の溝４２は面外方向に同一位置で、その各溝５４，４２は四周連続している。
そして、パネル６の面内方向に対向した２つの第１の端縁となる上端縁６ａ、下端縁６ｂの全長が２つの第１パネル支持材４０の溝４２内に挿入して支持されている。
パネル６の面内方向に対向した２つの第２の端縁となる一方の縦縁６ｃ、他方の縦縁６ｄの全長が２つの第２パネル支持材５０の溝５４内にグレイジングチャンネル５６を介して挿入して支持されている。
これによって、パネル６を強風によって振れ動くことがないようにしっかりと取り付けできる。
しかも、第２パネル支持材５０は縦框２３，２４の面内方向内側面２３ａ，２４ａの長手方向全長に連続して取り付けてあるので、その面内方向内側面２３ａ，２４ａが全長に亘って同一の外観となるから、見栄えが良い。
【００３２】
この第２パネル支持材５０は縦框２３，２４の長手方向全長に亘って取り付けてあるが、パネル６を取り付ける２つの第１パネル支持材４０間にのみ取り付けても良い。
つまり、２つの第１パネル支持材４０と２つの第２パネル支持材５０を方形状に連結してパネル取付用枠体を形成すれば良い。
【００３３】
なお、第１・第２パネル支持材４０，５０を短尺として、複数の第１・第２パネル支持材４０，５０を間隔を置いて取り付けることで、パネル６の上下端縁６ａ，６ｂ、一方の縦縁６ｃ、他方の他縁６ｄの長手方向複数個所を支持するようにしても良い。
また、第１・第２パネル支持材４０，５０は前述の形状に限ることはない。例えば、第１パネル支持材４０を取付片と押え片を有する形状とし、その取付片を格子５（格子体５ａ）にビスで固着し、押え片でパネル６を格子５に押しつけて支持する。
【００３４】
また、パネル６は枠体２０の面外方向中央部よりも面外方向一側寄りに位置しているので、第１障子２を面外方向一側方から見たときに枠体２０とパネル６が段差なく、ほぼ面一として見え、見栄えが良い。
【００３５】
また、格子５が上框２１と下框２２とに亘って取り付けた縦格子の場合には、パネル６が面外方向一側寄りで、格子５が面外方向中央部であることで、枠体２０の面外方向他側から格子５までの面外方向寸法が大きく、第１障子２を面内方向に移動するときに、格子５に手の指を掛けていても、その手の指が格子５と第１障子２とは別の他の部材、例えば図４で第２障子３の他方の縦框２４との間にはさまれることがない。
【００３６】
しかも、パネル６が取り付けてあるので、枠体２０の面外方向一側方から他側方に手の指を貫通しようとしたときに、その手の指がパネル６に当って貫通できないから、手の指が格子５と他の部材との間にはさまれることがない。
この場合には、パネル６の取り付け位置を、人の指がとどく高さに合わせることが必要である。
つまり、パネル６の取付位置と取り付けるパネル６の数は任意に選択することが可能であるが、前述した手の指の貫通を防止するのであれば、人の指がとどく高さ位置にパネル６を取り付ける必要がある。
【００３７】
第２障子３の上框２１、下框２２は、前述した第１障子２の上框２１、下框２２と略同一で、第２障子３の一方の縦框２３、他方の縦框２４は第１の障子２の一方の縦框２３、他方の縦框２４と略同一である。
そして、アタッチメント３０、第１・第２パネル支持材４０，５０も同一で、パネル６は枠体２０の面外方向中央部よりも面外方向一側寄りである。
つまり、第１障子２と第２障子３は略同一である。
【００３８】
図５に示すように、第３障子４の上框２１は、その凹部２５の開口部２５ａの面外方向寸法が大きく、アタッチメント３０の突部３２は、本体３１に設けた突片３２ａと、本体３１に螺合したボルト３２ｂで構成されている。
アタッチメント３０の本体３１は面内方向内側に突出した第１・第２内向片３３，３４を有している。
【００３９】
図５に示すように、第３障子４の下框２２は、面内方向内側面２２ａがほぼＬ字形状であるので、アタッチメント３０を面外方向に向かう横板３５と面内方向外側に向かう第１外向片３６と第２外向片３７で略コ字形状とし、その第１外向片３６を下框２２に固着具、例えばビス３８で固着して取り付けてある。
図５に示すように、第１パネル支持材４０は第１・第２障子２，３の第１パネル支持材４０と同一断面形状である。
【００４０】
図６に示すように、第３障子４の一方の縦框２３、他方の縦框２４は第１・第２障子２，３の一方の縦框２３、他方の縦框２４と同一断面形状であるが、面外方向寸法が大きい。
第３障子４の第２パネル支持材５０は、第１・第２障子２，３の第２パネル支持材５０よりも面外方向寸法が大きいが、断面形状は同じである。
これによって、第３障子４のパネル６は枠体２０の面外方向中央部よりも面外方向一側寄りである。
【００４１】
第１障子２は次のようにして組み立てる。
複数の格子体５ａを所定の間隔を置いて並列する。
各格子体５ａの長手方向一端寄り、中間部、他端寄りに第１パネル支持材４０をそれぞれ固着して取り付け、複数の格子体５ａが所定の間隔を置いて配設した格子５とする。
第１パネル支持材４０にキャップ４９を取り付けてビス４１が見えないようにする。
各格子体５ａの長手方向両端にアタッチメント３０をビス５ｂで固着して取り付ける。
２つの第１パネル支持材４０の溝４２に、パネル６の上端縁６ａ、下端縁６ｂを挿入してパネル６を格子５に取り付ける。
パネル６の一方の縦縁６ｃ、他方の縦縁６ｄにグレイジングチャンネル５６を取り付ける。
グレイジングチャンネル５６に第２パネル支持材５０の溝５４を嵌め込むようにして取り付け、第２パネル支持材５０と第１パネル支持材４０をビス５５で連結する。
【００４２】
この後に、上框２１、下框２２を、その開口部２５ａ，２６ａをアタッチメント３０の突部３２に嵌め込んで取り付けると共に、一方の縦框２３、他方の縦框２４を、その開口部２７ａ，２８ａを第２パネル支持材５０の突部５２に嵌め込んで取り付ける。
そして、上框２１、下框２２と一方の縦框２３、他方の縦框２４を固着具で連結して格子５とパネル６を備えた第一障子２を組み立てる。
第２障子３も同様にして組み立てる。
【００４３】
第３障子４は第１・第２障子２，３と同様にして組み立てし、枠体１に固定するようにしても良いが、枠体１に、第３障子４の各部材を順次取り付けて第３障子４を組み立てると共に、枠体１に固定するようにしても良い。
【００４４】
前述の実施の形態では、格子５を縦格子としたが、横格子としても良い。
この場合には、一方の縦框２３、他方の縦框２４の面内方向内側面２３ａ，２４ａにアタッチメント３０を取り付け、上框２１、下框２２の面内方向内側面２１ａ，２２ａに第２パネル支持材５０を取り付けるので、一方の縦框２３、他方の縦框２４が面内方向に対向した第１の枠材、上框２１、下框２２が面内方向に対向した第２の枠材である。
また、格子５は井桁格子でも良い。
また、パネル６は種々の性能のものを用いることができる。
例えば、目隠しと採光の性能を有するパネル、熱線を遮断して太陽熱を遮熱するような性能を有するパネル、透明で採光の性能のみを有するパネル。
また、パネル６の材質としては、樹脂材が好ましい。
また、パネル６は枠体２０の全面に取り付けることができる。
【符号の説明】
【００４５】
１…建具枠体、２…第１障子（建具体）、３…第２障子（建具体）、４…第３障子（建具体）、５…格子、６…パネル、２０…枠体、２１…上框、２１ａ…面内方向内側面、２２…下框、２２ａ…面内方向内側面、２３…一方の縦框、２３ａ…面内方向内側面、２４…他方の縦框、２４ａ…面内方向内側面、２５…凹部、２５ａ…開口部、２６凹部、２６ａ…開口部、２７…凹部、２７ａ…開口部、２８…凹部、２８ａ…開口部、３０…アタッチメント、３１…本体、３２…突部、４０…第１パネル支持材、４２…溝、５０…第２パネル支持材、５１…本体、５２…突部、５４…溝。
【図１】
0005464599.tif 000002
【図２】
0005464599.tif 000003
【図３】
0005464599.tif 000004
【図４】
0005464599.tif 000005
【図５】
0005464599.tif 000006
【図６】
0005464599.tif 000007